(57)【要約】      （修正有）【課題】容易な製作手段で、蓋体の有無に関わらず、杓子を鍋に載置することができ、杓子を鍋本体の中に入れた状態で、鍋本体を蓋体で覆っても、鍋の蓋体と鍋本体との間に隙間を生じることがなく、安全性にも優れた鍋を提供する。【解決手段】鍋本体１と鍋本体の上面全体を覆う蓋体２からなる鍋であって、鍋本体の上面開口に臨む周縁部１ｂに、開口方向からの切欠１ａを設け、鍋本体１に入れた杓子３の柄３ｂを載置する支持部とした杓子載置鍋。【選択図】図１
0003131272.tif 000002
【実用新案登録請求の範囲】
【請求項１】
鍋本体（１）と鍋本体の上面全体を覆う蓋体（２）からなる鍋であって、鍋本体の上面開口に臨む周縁部（１ｂ）に、開口方向からの切欠（１ａ）を設け、鍋本体（１）に入れた杓子（３）の柄（３ｂ）を載置する支持部としたことを特徴とする杓子載置鍋。
【考案の詳細な説明】
【技術分野】
【０００１】
本考案は、杓子を鍋本体に載置することができる新規な構成を有する鍋に関するものである。
【背景技術】
【０００２】
従来、家庭で調理に用いられる鍋は、その大半が鍋本体とその上面全体を覆う蓋体から構成され、蓋体は、加熱効率を上げるとともに、保温、塵や埃の混入防止等の役割を果たす。
【０００３】
鍋本体中の食物を食に供される皿等に盛り付けるには、一般に杓子が用いられる。杓子は、調理中や食物を盛り付ける際、鍋本体から蓋体を外して用いられるが、食物を盛り付けた後は、蓋体を元に戻すに伴い、鍋から除かれ、次の使用まで小皿等の上に置かれて食卓等に置かれるか、又は鍋本体中ににそのまま放置される。使用後の杓子を小皿の上に置いて食卓に置くと、杓子についている食物により、周囲を汚す場合があり、また、食卓に小皿と杓子を置く場所を設けなくてはならないので、食卓が狭くなる。
【０００４】
一方、杓子を鍋本体中に入れたままであると、杓子は固定手段がなく不安定であり、また蓋体を鍋本体上面に被せると、蓋体が杓子の柄にひっかかり、蓋体は傾斜した状態で鍋本体の上に置かれることになり、鍋本体と蓋体の間に隙間が生じ、蓋体の保温、防塵等の効果が損なわれるばかりでなく、蓋体が不安定なため、外れて、周囲に落下することがある。
【０００５】
このように、鍋と杓子を併せて用いる場合に、従来の不具合を解消すべく、鍋本体と蓋体との重合部位に、鍋本体に入れた杓子の柄を挿通する支持部を形成した考案が知られている（特許文献１）。しかし、この構成では、蓋体に支持部を設けているため、蓋体を外した状態では、鍋本体に杓子を載置することができない。また、実質的に蓋体の周縁部に切欠溝を構成したものであるため、加熱中にそこから熱せれた蒸気が上方向に放出され、調理中に蓋体を外す場合は、火傷をする危険がある。
【０００６】
一方、鍋本体の把手に板バネ体でなる玉杓子載置体を備えた考案も知られている（特許文献２）。しかし、この構成では、蓋体の有無に関わらず、杓子を鍋本体に載置できるが、鍋本体を蓋体で覆った場合は、杓子の柄により、鍋本体と蓋体の間に隙間が生じるため、保温効果が減少し、また隙間から、埃、塵等が混入する場合がある。また、載置体が金属製のものは調理中に加熱され、誤ってそこに手が触れると火傷をする恐れがある。また、鍋本体に付属物がついていると、日常に使われることによりその部分に汚れや埃などがたまりやすく、非衛生的である。
【特許文献１】実用新案登録３０５３１１７号公報
【特許文献２】実用新案登録３００１１５６号公報
【考案の開示】
【考案が解決しようとする課題】
【０００７】
本考案は、容易な製作手段で、蓋体の有無に関わらず、杓子を鍋に載置することができ、杓子を鍋本体の中に入れた状態で、鍋本体を蓋体で覆っても、鍋の蓋体と鍋本体との間に隙間を生じることがなく、安全性にも優れた鍋を提供することを目的とする。
【課題を解決するための手段】
【０００８】
本考案は、上述のような問題を解決するため、下記のようになるものである。
鍋本体（１）と鍋本体の上面全体を覆う蓋体（２）からなる鍋であって、鍋本体の上面開口に臨む周縁部（１ｂ）に、開口方向からの切欠（１ａ）を設け、鍋本体（１）に入れた杓子（３）の柄（３ｂ）を載置する支持部としたことを特徴とする杓子載置鍋。
【考案の効果】
【０００９】
本考案は、上述のように構成され、鍋本体に切欠きを設けることにより杓子を鍋に載置することができるので、鍋中の杓子を蓋体の有無に関わらず安定に鍋に載置することができる。また、食物を盛り付け終わった後等の使用後に次の使用まで、小皿等を準備しその上に置く必要がなく、食卓等を広く使用することができ、また杓子についている食物で周囲を汚すことがない。
【００１０】
また、杓子を鍋本体の中に入れた状態で、鍋本体を蓋体で覆っても、鍋の蓋体と鍋本体との間に隙間を生じることがないため、蓋体の加熱効率向上、保温、防塵等の機能を損なうことがない。特に、隙間から、塵、ごみが入らないことは、衛生的である。さらに、鍋本体側面に切欠を設け、鍋の上面に当たる蓋体には切欠きを設けないことで、調理中に蓋体を鍋本体から外す場合など、蓋体の切欠きから放出される蒸気で火傷をすることもない。
【００１１】
そして、鍋に付属物を備えることなく杓子を鍋に載置できることにより、加熱された載置体により火傷をしたり、日常の使用による汚れなどが付属物にたまることがない。また、鍋に切欠を設ける加工は鍋に付属物を備えることより容易にできる。
【考案を実施するための最良の形態】
【００１２】
図面を参照して実施の形態の詳細を説明する。
図１は、本考案の杓子載置鍋の斜視図である。
図１(ａ)は、杓子３が載置されていない状態で鍋の鍋本体１と蓋体２を分離した状態の斜視図である。図１（ａ）において鍋本体１は、上面全体が開口になっている、底面と側面からなる筒状の容器である。底面は一般家庭のコンロでの使用に適した半径よりなる円形であるのが一般的である。側面の高さは任意である。
【００１３】
鍋本体１は、鍋の開口部に沿って形成される周縁部1ｂを有する。周縁部１ｂは、任意にその他の鍋側面よりも半径が少し大きく形成されることにより、蓋体２と嵌合し蓋体２を支持するための段部を形成する。段部の幅は、蓋部との嵌合が確保されるに足りる幅であり、例えば１ｃｍ〜２ｃｍである。また、周縁部１ｂは段部を形成していなくてもよい。
【００１４】
切欠１ａは、鍋本体１の上面開口部から底面方向に一定の長さで周縁部１ｂを切欠ることにより形成されている。切欠１ａの大きさは、一般の杓子の柄がそのお玉方向に挿入可能な大きさである。例えば幅２〜３ｃｍ、高さ１ｃｍ程度の長方形である。切欠が小さすぎると杓子３が挿入不可能であり、大きすぎると、杓子３の載置が不安定で、鍋の熱効率も下がる。また、高さが足りないと、杓子３の柄３ｂが周縁部１ｂより開口方向にはみ出し、蓋体２と鍋本体１の間に隙間が生じる。好適には、切欠１ａを把手１ｃの上方の周縁部に設けると、杓子３の持ち手３ｃを把手１ｃの上に置くことができ、杓子３をより安定に載置できる。
【００１５】
そして鍋本体１は把手１ｃを備える。把手は１個又は２個、若しくは０個である。２個の場合は、鍋の円筒の直径の両端、つまり円の中心に対して対称に２個の把手１ｃが備えられるのが一般的である。前述の通り切欠ａは、把手１ｃの上方の周縁部に設けることが好ましく、把手１ｃが２個の場合は、それぞれの把手１ｃの上に切欠を設ければ、周縁部１ｂの２箇所において安定して杓子３を載置することができ、一方、把手１ｃが０個の場合は、切欠１ａは、周縁部１ｂの任意の位置に設けることができる。鍋本体の材質は、耐熱性のあるもの、例えばステンレス等の金属、陶磁器などが挙げられる。
【００１６】
蓋体２は、中央部分が盛り上がった円盤形状を成し、上面頂部には、つまみ２ｂを備え、鍋本体１と嵌合するための周縁部２ａを設ける。つまみ２ｂは人間が片手でつまむのに適切な大きさであり、円柱状、指を挿入する穴を備えたものなどが挙げられ、耐熱性樹脂など防熱素材であってもよい。このつまみ２ｂは、蓋体２を鍋本体１と着脱する際に、蓋体を簡便に扱う補助となる。
【００１７】
蓋体２の周縁部２ａは、鍋本体１の周縁部１ｂの半径よりも僅かに小さい半径で形成されている、又は鍋本体１と密接に嵌合するように、鍋本体１に嵌め込み易い形状であるのが一般的である。鍋体２の材質も鍋本体と同様である。
【００１８】
図１（ｂ）は、鍋に杓子３が載置された状態の鍋の鍋本体１と蓋体２を分離した斜視図である。
【００１９】
杓子３は、柄３ｂの部分を鍋本体１の切欠１ａに載置した状態で、鍋中に置かれる。杓子３は、一般に用いられている杓子であれば、任意であり、食物をすくうための上面が開放された半球状のいわゆるお玉の部分３ａと柄３ｂの部分と、手で持つのに適した大きさであり、防熱素材で作製された持ち手３ｃの部分からなる。柄３ｂの部分は、切欠１ａの深さを超えない厚みである。柄３ｂの厚みが切欠１ａの高さを超えると、蓋体２が鍋本体１を隙間ができないように覆うことはできない。杓子の半球３ａ部分及び柄３ｂの部分の材質は、金属等耐熱性のあるものである。
【００２０】
図１（ｃ）は、鍋本体１に杓子３を切欠ａに載置して入れた状態で、鍋本体１の上面全体を蓋体２で覆った斜視図である。鍋本体１の上面全体を蓋体２は、鍋本体１との間に切欠１ａを除き、隙間が生じないように覆っている。
【図面の簡単な説明】
【００２１】
【図１】全体の斜視図である。
【符号の説明】
【００２２】
１  鍋本体
１ａ  切欠
１ｂ  周縁部
１ｃ  把手
２  蓋体
２ａ  周縁部
２ｂ  つまみ
３  杓子
３ａ  半球
３ｂ  柄
３ｃ  持ち手
【図１】
0003131272.tif 000003